(57)【要約】【課題】屋根棟に設けられて雨水の浸入を確実に防止すると共に風の侵入を適宜に行うことができる換気構造を提供する。【解決手段】本発明は、屋根棟に設けられる開放部Ｏに対して配設する、止水を主とする内部カバー１と、風除けを主とする外部カバー２とからなる換気構造であって、内部カバー１は、止水壁１１と内部に連通する開口部１０とを有し、外部カバー２は、内部カバー１を覆い、排気用の開口孔２０１を開口部１０より下方に形成することを特徴とする。【選択図】図１
2018150711.tif 000002
【特許請求の範囲】
【請求項１】
屋根棟に設けられる開放部に対して配設する、止水を主とする内部カバーと、風除けを主とする外部カバーとからなる換気構造であって、
前記内部カバーは、止水壁と内部に連通する開口部とを有し、
前記外部カバーは、前記内部カバーを覆い、排気用の開口孔を前記開口部より下方に形成することを特徴とする換気構造。
【請求項２】
外部カバーの開口孔は、上方に向けて開口させることを特徴とする請求項１に記載の換気構造。
【請求項３】
外気カバーには、複数の換気凸部が設けられ、該換気凸部は上端に向かう案内部分と上端に形成される開口孔からなることを特徴とする請求項１又は２に記載の換気構造。
【発明の詳細な説明】
【技術分野】
【０００１】
本発明は、屋根棟に設けられて雨水の浸入を確実に防止すると共に風の侵入を適宜に行うことができる換気構造に関する。
【背景技術】
【０００２】
建築物の棟部に設けられる換気装置は、風を伴う場合の「防水」に考慮する必要があり、風の侵入、雨水の浸入を防止する或いは軽減する構造が採用されている。
屋根面には様々な方向から風が吹き付けられるが、その中でも特に軒側から棟側に吹き上げられる雨水に対しての対策が重要である。
【０００３】
例えば特許文献１などに記載される換気装置では、換気棟の内部構造に門型部換気口や山形部換気口や屈曲部換気口などが設けられ、流れ方向（勾配方向）の風雨の侵入経路を複雑にすることで吹き込みを防止しているものである。
【先行技術文献】
【特許文献】
【０００４】
【特許文献１】特公平７−８４７８３号公報
【発明の概要】
【発明が解決しようとする課題】
【０００５】
しかしながら、前記特許文献１の換気装置では、前述のように風雨の侵入経路を複雑にすることで風雨の吹き込みを防止しているが、その反面、内部から外部への空気も抜けにくいという問題を生ずるものであった。また、侵入経路を複雑にするためには、それを形成する部材の加工も複雑であってコスト高になりやすいという問題もあった。
【０００６】
そこで、本発明は、屋根棟に設けられて雨水の浸入を確実に防止すると共に風の侵入を適宜に行うことができる換気構造を提案することを目的とする。
【課題を解決するための手段】
【０００７】
本発明は、上記に鑑み提案されたもので、屋根棟に設けられる開放部に対して配設する、止水を主とする内部カバーと、風除けを主とする外部カバーとからなる換気構造であって、前記内部カバーは、止水壁と内部に連通する開口部とを有し、前記外部カバーは、前記内部カバーを覆い、排気用の開口孔を前記開口部より下方に形成することを特徴とする換気構造に関するものである。
なお、屋根棟に設けられる開放部とは、建築物の内部空間に連通する開口部分の上端を指すものであって、後述する図示実施例に示すように前記内部カバーの「開口部（１０）」と連通する下方にこの開放部（Ｏ））は位置している。
【０００８】
また、本発明は、前記換気構造において、外部カバーの開口孔は、上方に向けて開口させることを特徴とする換気構造をも提案する。
【０００９】
また、本発明は、前記換気構造において、外気カバーには、複数の換気凸部が設けられ、該換気凸部は上端に向かう案内部分と上端に形成される開口孔からなることを特徴とする換気構造をも提案する。
【発明の効果】
【００１０】
本発明の換気構造は、屋根棟に設けられる開放部に対して配設するものであって、止水を主とする内部カバーと、風除けを主とする外部カバーとからなり、外部カバーに形成する開口孔を内部カバーの開口部より下方に形成する、即ち開口孔より止水壁を高く形成するので、開口孔から浸入した雨水を止水壁の外側で確実に流下させて止水壁の内側（開口部内）には浸入させることがなく、風の侵入も適宜に行え、内部から外部への空気の放出も容易に行うことができる。
【００１１】
また、外部カバーの開口孔は、上方に向けて開口させる場合、軒側から吹き上げ風に雨水が混じって直接開口孔に侵入するのを防ぎ、また吹き上げ風自体が直接外部カバー内に侵入し難くなるため、外部カバー内での雨水の飛散を最小限にすることができる。
【００１２】
また、外気カバーには、複数の換気凸部が設けられ、該換気凸部は上端に向かう案内部分と上端に形成される開口孔からなる場合、前述の開口孔が上方を向く形状を、スリット加工とプレス加工とを行うことで容易に形成できる。そして、この換気凸部では、開口孔から浸入した雨水は、案内部分によって下方に導かれて流下するため、内部カバー内に浸入することがない。
【図面の簡単な説明】
【００１３】
【図１】本発明の第１実施例の換気構造を示す側断面図である。
【図２】（ａ）第１実施例の換気構造に屋内側からの空気の流れを示す側断面図、（ｂ）第１実施例の換気構造に屋外側からの風の流れと雨水の流れを示す側断面図である。
【図３】（ａ）第１実施例に用いた外部カバーを示す斜視図、（ｂ）内部カバーを示す斜視図である。
【図４】（ａ）第２実施例に用いた外部カバーを示す斜視図、（ｂ）内部カバーを示す斜視図である。
【発明を実施するための形態】
【００１４】
本発明の換気構造は、屋根棟に設けられる開放部に対して配設する、止水を主とする内部カバーと、風除けを主とする外部カバーとからなる換気構造であって、前記内部カバーは、止水壁と内部に連通する開口部とを有し、前記外部カバーは、前記内部カバーを覆い、排気用の開口孔を前記開口部より下方に形成することを特徴とする。
外部カバーに形成する開口孔を内部カバーの開口部より下方に形成する、即ち開口孔より止水壁を高く形成するので、開口孔から侵入した雨水を止水壁の外側で確実に流下させて止水壁の内側（開口部内）には浸入させることがなく、風の侵入も適宜に行え、内部から外部への空気の放出も容易に行うことができる。
【００１５】
前記換気構造を形成する内部カバーは、前述のように止水を主とするものであって、止水壁と内部に連通する開口部とを有するものであれば、その具体的構成、並びにそれ以外の構成を限定するものではない。
この内部カバーは、開放部に跨る単一部材でもよいし複数部材でもよく、単一部材の場合には、左右の止水壁の上方（上端）を繋ぐ連結部分（横面部）に開口部を形成すればよいし、複数部材の場合には、左右の止水壁が別部材で形成され、配設状態でそれらの止水壁の対向間隔の上端を開口部とするものでもよい。
【００１６】
前記止水壁は、上下方向に連続する縦面状であって、外部カバーの内側へ浸入した雨水の、それ以上の浸入を防止するものである。
また、前記開口部は、建築物内部と連通し、内部からの排気を放出することができる部位である。
【００１７】
前記止水壁を高く形成することにより、開口部からの雨水の浸入をより確実に防止できるが、この止水壁の下端には、連続状に形成され、外部カバーの下端より外側に延出する支持面部を設けることが好ましい。この支持面部を、屋根面に沿うように配設することにより、外部カバーの内部に雨水が浸入しても、止水壁の外面側を伝ってこの支持面部から屋根面上へ排出することができる。
【００１８】
前記換気構造を形成する外部カバーは、前述のように風除けを主とするものであって、、前記内部カバーを覆い、排気用の開口孔を前記開口部より下方に形成したものであれば、その具体的構成、並びにそれ以外の構成を限定するものではない。
この外部カバーは、前記内部カバーを覆うものであれば、単一部材でも複数部材でもよいが、全ての開口孔を、前記内部カバーの開口部より下方に位置させることで、開口孔から侵入した雨水は開口部内には浸入しない。
【００１９】
前記排気用の開口孔は、上方に向けて開口していることが望ましく、軒側から吹き上げ風に雨水が混じって直接開口孔に侵入するのを防ぎ、また吹き上げ風自体が直接外部カバー内に侵入し難くなるため、外部カバー内での雨水の飛散を最小限にすることができる。即ち上方に向くように開口孔を形成することにより、外部カバー内が風の影響を受け難い構造となっている。なお、この開口孔は、高さ方向にも長さ方向にもそれぞれ複数設けることが望ましい。
【００２０】
また、前記外部カバーには、複数の換気凸部が設けられ、該換気凸部は上端に向かう案内部分と上端に形成される開口孔からなることが望ましい。この場合、前述の開口孔が上方を向く形状を、スリット加工とプレス加工とを行うことで容易に形成できる。なお、この開口孔（換気凸部）は、後述する図示実施例のように数多く設けることが望ましく、この観点からもこの加工は望ましい。
詳しくは、まず、開口孔に相当する横幅でスリット加工を施す。次に、形成したスリットを上端とするように裏面側から雄型を押し当てるようにプレス加工を行う。このような加工により、開口孔が上方を向き、該開口孔から案内部分が延設される形状の換気凸部を容易に形成できる。そして、それぞれの換気凸部では、開口孔から浸入した雨水が、表面側に突出する案内部分に接触して下方へ導かれるため、内部カバー内に浸入することがない。
【００２１】
このような外部カバーの下端は、前記内部カバーの止水壁の外面側を伝って流下する雨水が前記支持面部から屋根面上へ排水されることを妨げないものであればよく、特にその具体的構成を限定するものではない。例えば後述する図示実施例のようにその下端が、支持面部から僅かな間隙を隔てて上方に配置されていればよい。
【００２２】
なお、前記内部カバーと前記外部カバーとは、所定の間隔を隔てて配設されるように支持材を介して接続されることが望ましい。
この支持材は、前記内部カバーの外面側に沿うように固定され、前記外部カバーの内面に沿うように支持するものであって、前述のように所定の間隔を形成するための間隔形成部材を兼ねる。
【００２３】
このように構成される本発明の換気構造は、前述のように開口孔より止水壁を高く形成するので、開口孔から侵入した雨水を止水壁の外側で確実に流下させて止水壁の内側（開口部内）には浸入させることがなく、風の侵入も適宜に行え、内部から外部への空気の放出も容易に行うことができる。
【００２４】
本発明の換気構造を適用する屋根棟としては、棟頂部に開口空間を有するものであれば屋根自体については何ら限定するものではなく、瓦、スレート、金属等の公知の屋根であっても、太陽電池の裏面側に屋根としての雨仕舞性能を有するものであっても、その仕様を問うものではなく、例えば塩ビ等の防水シートからなる防水層でもよい。また、屋根形式についても、横葺き状、縦葺き（瓦棒葺き、平滑状等）、折板等の如何なるものであってもよい。
【実施例１】
【００２５】
図１（ａ）に示す本発明の第１実施例の換気構造は、屋根棟に設けられる開放部Ｏに対して配設する、図２（ｂ）に示すように止水を主とする内部カバー１と、図２（ａ）に示すように風除けを主とする外部カバー２とからなる。
前記内部カバー１は、止水壁１１と内部に連通する開口部１０とを有し、前記外部カバー２は、前記内部カバー１を覆い、排気用の開口孔２０１を前記開口部１０より下方に形成するものである。
【００２６】
前記内部カバー１は、前述のように止水を主とするものであって、図３（ｂ）に示すように上下方向に連続する縦面状である左右の止水壁１１，１１が別部材１Ａ，１Ｂで形成され、配設状態でそれらの止水壁１１，１１の対向間隔の上端を開口部１０とするものである。
前記左右の止水壁１１，１１の下端には、それぞれ外方へ屈折するように連続状に形成され、外部カバー２の下端よりも外側に延出するように支持面部１２，１２が設けられ、各支持面部１２は、断面矩形状の補助材４と共に開放部Ｏの近傍の屋根５上に固定具４ｂ，４ｂにて固定されている。なお、この支持面部１２は、止水壁１１の下端から略Ｗ字状に形成され、前記補助材４の上面及び側面に沿うように配設されて上方から及び側方から固定具４ｂ，４ｂにて強固に固定されている。
【００２７】
前記外部カバー２は、前述のように風除けを主とするものであって、前記内部カバー１を覆い、全ての排気用の開口孔２０１を前記開口部１０より下方に形成したものである。
この第１実施例における外部カバー２は、下端に水返し片２１１が形成される二つの傾斜面部２１，２１と、それらの上端を繋ぐ連結上面２２と、からなり、それぞれの傾斜面部２１は、後述する支持材（間隔形成材）３を介在させることにより、前記内部カバー１の止水壁１１と間隔を隔てて外側に配され、連結上面２２は前記内部カバ−１の開口部１０の上方に位置するように配される。
【００２８】
この第１実施例における前記開口孔２０１は、上方に向けて開口しているものであって、この開口孔２０１は、上端に向かう案内部分２０２と上端に形成される開口孔２０１からなる換気凸部２０に形成されている。この換気凸部２０は、傾斜面部２１の高さ方向及び長さ方向にそれぞれ複数設けられ、具体的には図３（ａ）に示すように高さ方向に５段で長さ方向に６列の集合群を長さ方向に３箇所ずつ設けられ、合計９０個の換気凸部２０が形成され、そのそれぞれに開口孔２０１が上向きに形成されている。
このような換気凸部２０は、第１に、開口孔２０１に相当する横幅（数センチ単位）でスリット加工を施し、第２に、形成したスリットを上端とするように裏面側から雄型を押し当てるようにプレス加工（数ミリ単位の凸出）を行って換気凸部２０、即ち案内部分２０２及び開口孔２０１を形成した。
【００２９】
前記構成の内部カバー１と前記構成の外部カバー２とは、略門型状の支持材３を介して接続されて所定の間隔を隔てるように配設されている。
前記支持材３は、短幅の成形材であって、図３（ｂ）に示すように所定間隔で複数取り付けられている。この支持材３は、両カバー１，２の対向間隔を形成する縦面部３１を山形状に成形し、該縦面部３１の外側縁部にフランジ状に支持面部３２を形成し、前記縦面部３１の内側縁部にフランジ状に固定面部３３を形成した構成であり、間隔形成部材を兼ねるものである。前記支持面部３２には外部カバー２が支持され、前記固定面部３３には内部カバー１が固定される。即ちこの支持材３は、前述のように屋根５に固定された内部カバー１の止水壁１１にその固定面部３３を沿わせてビス３ｂにて固定され、その支持面部３２に前記外部カバー２の傾斜面部２１，２１を沿わせてビス２ｂにて固定することにより、両カバー１，２を縦面部３１の幅で対向状に屋根５に取り付けるものである。
【００３０】
前記屋根５は、この図１ではボード状に示したが、前述のように使用する屋根材や屋根形式についても全く特定するものではないので、どのような種類のものを用いてもよい。この屋根５は、傾斜状に配設した構造材（下地）８の上面に、防水材７及び断熱材（層）６を介して敷設され、開放部Ｏは、建築物の内部空間に連通する開口部分の上端に位置している。
【００３１】
このように構成される本発明の換気構造は、図示するように内部カバー１の止水壁１１を高く形成でき、外部カバー２の開口孔２０１を複数に形成することができ、それによって雨水の浸入をより確実に防止すると共に風の侵入を適宜に行うことができ、内部から外部へ空気が抜け易い。この状況を、図２（ａ），（ｂ）を用いて以下に説明する。なお、当該図面には、雨水の流れを解り易くするため、支持材３等を省略して符号についても必要最低限のみとした。
【００３２】
図２（ａ）では、屋内側からの空気の流れを示すが、屋内にて暖められた空気の流れを実線矢印にて表記している。当該図面に示すように屋内側の空気は、開放部Ｏを通って上昇し、内部カバー１の開口部１０を越えて内部カバー１と外部カバー２との間に流入し、その後、外部カバー２の斜面部２１に設けた複数の換気凸部２０の上向きの開口孔２０１からそれぞれ外部へ放出（排出）される。
図２（ｂ）では、屋外側からの風の流れと雨水の流れを示すが、屋根面には様々な方向から風が吹き付けられるが、その中でも特に重要な吹き上げ風を点線矢印にて表記している。当該図面に示すように吹き上げ風に対して開口孔２０１は、下方や側方を向いておらず上方を向いているため、直接的に外部カバー２内に侵入し難くなっている。上方を向く開口孔２０１から浸入する雨水を実線矢印で示しているが、案内部分２０２や内部カバー１の止水壁１１により下方へ導かれ、支持面部１２上から屋根５面上へと排出されている。
なお、外部カバー２に形成する全ての開口孔２０１を、内部カバー１の開口部１０より下方に位置させるので、開口孔２０１から侵入した雨水は外部カバー２と止水壁１１との空間を、或いは止水壁１１を伝って流下するため、開口部１０内には浸入することがなく排出させることができる。
【００３３】
また、前述のように内部カバー１の支持面部１２を補助材４を介して強固に屋根５上に固定し、該内部カバー１の止水壁１１に支持材３を固定し、該支持材３の外側に前記外部カバー２を支持させて固定したので、これらの内部カバー１と支持材３と外部カバー２とは、一体的に屋根５上に固定されるものとなる。
【００３４】
図４に示す第２実施例では、外部カバー２や支持材３については前記第１実施例と全く同様であるから図中に同一符号を付して説明を省略するが、内部カバー１'については単一部材であって、左右の止水壁１１'，１１'の上方（上端）を繋ぐ連結部分（横面部）１３に開口部１０'を形成した点が前記第１実施例とは相違する。
この第２実施例における前記開口部１０'は、略平坦状の横面部１３に形成された複数の円孔１３１であるが、止水壁１１，１１の対向間隔の上端である第１実施例の開口部１０と全く同様の作用を果たす。
【符号の説明】
【００３５】
１，１'  内部カバー
１０，１０'  開口部
１１，１１'  止水壁
１２，１２'  支持面部
１３  横面部
２  外部カバー
２０  換気凸部
２０１  開口孔
２０２  案内部分
２１  傾斜面部
２２  連結上面
３  支持材（間隔形成材）
４  補助材
５  屋根
６  野地板
７  Ｈ躯体
Ｏ  開放部
【図１】
2018150711.tif 000003
【図２】
2018150711.tif 000004
【図３】
2018150711.tif 000005
【図４】
2018150711.tif 000006